(57)【要約】【課題】気温の高い状況においてもおとり鮎の体力を消耗させずに長時間にわたって保存することができるオトリ缶の提供。【解決手段】オトリ缶１０は、本体１１と、本体１１に設けられた中蓋部材２１と、本体１１の上面１６に取り付けられる外蓋部材とを備える。中蓋部材２１には、凹部２８が形成され、保冷剤等が保持される。凹部２８は、中蓋部材２１と一体的に形成されている。凹部２８の底面部３０には、窓部２９が形成されている。窓部２９は、スリット状に形成されている。【選択図】  図２
2005040028.tif 000002
【特許請求の範囲】
【請求項１】
開口及び当該開口に連続し、おとり鮎を収容する収容空間が形成された本体と、
上記開口を開閉するために本体に回動自在に設けられ、本体が水中に配置されることによって上記収容空間内に水流の形成を許容する窓部が形成された中蓋部材と、
中蓋部材を被うように本体に着脱自在に設けられた外蓋部材と、
外蓋部材と中蓋部材との間に保冷剤を保持し得る保冷剤保持部が形成されているオトリ缶。
【請求項２】
上記保冷剤保持部は、上記中蓋部材が上記収容空間側に突出するように形成された凹部により構成され、
上記窓部は、上記凹部の底面に形成されている請求項１記載のオトリ缶。
【発明の詳細な説明】
【０００１】
【発明の属する技術の分野】
この発明は、鮎釣りに使用されるおとり鮎を保存するためのオトリ缶の構造に関するものである。
【０００２】
【従来の技術及び発明が解決しようとする課題】
鮎釣りでは、おとり用の鮎を用いた「友釣り」と称される釣法が採用されることが多い。この友釣りでは、複数尾のおとり鮎が体力を保持したまま保存されることが重要である。そのため、従来から「オトリ缶」と称されるおとり鮎の保存用箱が用いられる（例えば、特許文献１参照）。
釣人は、釣りの前段階において釣餌店等でおとり鮎を購入するのが一般的である。そして、釣人は、購入したおとり鮎を水と共にオトリ缶に入れ、これを釣り場まで携帯する。
【０００３】
【特許文献１】
実開昭６３−１２２０６３号公報
【０００４】
ところで、鮎釣りは、気温の高い夏に行われるものであるところ、釣人が購入したおとり鮎をオトリ缶に入れたまま釣り場まで移動する際に、特にその移動時間が長くなったときは、オトリ缶の内部の温度がきわめて上昇し、水温の上昇と共におとり鮎の体力は急激に消耗する。おとり鮎の体力が消耗した場合には友釣りにおける釣果は激減することが、従来からの釣人の経験上明らかである。
【０００５】
そこで、本発明の目的は、気温の高い状況においてもおとり鮎の体力を消耗させずに長時間にわたって保存することができるオトリ缶を提供することである。
【０００６】
【課題を解決するための手段】
（１）  上記目的を達成するため、本願に係るオトリ缶は、開口及び当該開口に連続し、おとり鮎を収容する収容空間が形成された本体と、上記開口を開閉するために本体に回動自在に設けられ、本体が水中に配置されることによって上記収容空間内に水流の形成を許容する窓部が形成された中蓋部材と、中蓋部材を被うように本体に着脱自在に設けられた外蓋部材と、外蓋部材と中蓋部材との間に保冷剤を保持し得る保冷剤保持部が形成されていることを特徴とするものである。
【０００７】
この構成によれば、おとり鮎は、収容空間に収容され、中蓋部材が閉じられ且つ外蓋部材が取り付けられた状態で搬送される。このとき、保冷剤保持部によって保冷剤（典型的には氷等）が保持される。この保冷剤は、中蓋部材と外蓋部材との間に配置されるから、収容空間は、本体の外側から冷却される。
【０００８】
（２）  上記保冷剤保持部は、上記中蓋部材が上記収容空間側に突出するように形成された凹部により構成され、上記窓部は、上記凹部の底面に形成されているのが好ましい。
この構成では、保冷剤保持部が中蓋部材に凹部が形成されることにより構成されるから、保冷剤保持部は、別途特別の部材が設けられることなく、中蓋部材と共に一体的に形成され得る。しかも、この凹部は底部に窓部が設けられているから、保冷剤による冷却効果が窓部を通して効果的に上記収容空間に及ぶ。
【０００９】
【発明の実施の形態】
以下、適宜図面が参照されつつ、好ましい実施形態に基づいて本発明が詳細に説明される。
【００１０】
図１は、本発明の一実施形態に係るオトリ缶１０の斜視図である。
オトリ缶１０は、鮎釣り（友釣り）に使用されるおとり鮎を収容し保存するためのものであって、本体１１と、これに取り付けられた外蓋部材１２とを備えている。
この外蓋部材１２は、合成樹脂等によって一体的に成形されており、ラッチ１３によって本体１１の上部に着脱自在に設けられている。なお、外蓋部材１２には、凹部１４が設けられている。この凹部１４は、空気供給ポンプを保持するようになっており、空気供給ポンプによって本体１１の内部（後述の収容空間１５）に空気が供給されるようになっている。
【００１１】
図２は、オトリ缶１０の要部斜視図であって、上記外蓋部材１２が本体１１から取り外された状態が図示されている。
本体１１は、本実施形態では中空の直方体状に形成されている。もっとも、本体１１の外形形状は、直方体状に限定されるものではなく、他の形状が採用されてもよいことは言うまでもない。本体１１は、合成樹脂等によって一体的に成形されている。
本体１１の内部には、おとり鮎が収容される収容空間１５が区画形成されている。本体１１の上面１６には、開口１７が形成されており、当該開口１７は、上記収容空間１５と連通している。
【００１２】
また、本体１１の側面１８には、図示しない貫通孔が設けられており、この貫通孔に円形扉１９が取り付けられている。円形扉１９も、合成樹脂等によって一体的に形成されている。
上記貫通孔を区画形成する壁面にはねじ部が形成されており、円形扉１９は、このねじ部と螺合している。したがって、円形扉１９が一の方向（通常は右方向）に回転されることによって、当該円形扉１９が本体１１に対して液密的に固定され、また、一の方向と逆方向（通常は左方向）に回転されることによって本体１１から取り外される。
なお、円形扉１９には、摘み部２０が形成されており、釣人は、この摘み部２０に指を掛けて容易に円形扉１９を回転させることができるようになっている。
【００１３】
さらに、本体１１には、中蓋部材２１が取り付けられている。この中蓋部材２１も合成樹脂等により一体的に形成されている。
中蓋部材２１の外形形状は、本体１１の開口１７の形状に対応されており、中蓋部材２１は、開口１７にぴったりと嵌め込まれるように取り付けられている。具体的には、中蓋部材２１は、蝶番２２によって本体１１の上面１６に取り付けられており、蝶番２２を介して本体１１に対して回動されることによって、上記開口１７が開閉されるようになっている。
なお、中蓋部材２１は、ロック部材３１を備えており、ロック部材３１が操作されることによって、中蓋部材２１は、閉状態にロックされる。
【００１４】
また、中蓋部材２１は、開閉扉２３を備えている。この開閉扉２３も蝶番２４により中蓋部材２１に取り付けられており、回動されることによって中蓋部材２１に対して開閉するようになっている。なお、開閉扉２３は、ロック部材２５を備えており、ロック部材２５が操作されることによって、開閉部材２３は、閉状態にロックされる。
加えて、開閉扉２３は、開口部２６を備えている。そして、中蓋部材２１には、この開口部２６を開閉する扉２７が設けられている。扉２７は、所要の弾性部材により弾性付勢されており、これにより、開口部２６は、常時閉状態とされている。釣人は、この扉２７を上記付勢方向と逆方向に押圧することによって、扉２７を自在に開けることができる。
【００１５】
中蓋部材２１には凹部２８（保冷剤保持部）が形成されている。
図３は、図２におけるＩＩＩ−ＩＩＩ断面図である。
図２及び図３が示すように、この凹部２８は、中蓋部材２１が収容空間１５側へ突出するように形成されることによって構成されている。凹部２８の寸法は、１００ｍｍ×１５０ｍｍ〜２００ｍｍ×３００ｍｍ程度に設定され、深さ寸法は、５ｍｍ〜２５ｍｍ程度に設定される。本実施形態では、１５ｍｍに設定されている。凹部２８がかかる寸法に設定されることにより、保冷剤として氷が採用される際に、十分な保冷効果が期待される。
【００１６】
前述のように、本体１１の上部には外蓋部材１２が取り付けられるから、外蓋部材１２が本体１１に取り付けられた状態では、中蓋部材２１と外蓋部材１２との間に凹部２８が配置されることになる。
この凹部２８には、氷等の保冷剤が収容され得る。そして、外蓋部材１２が取り付けられることによって、凹部２８内に保冷剤が保持されることになる。
【００１７】
中蓋部材２１には、窓部２９が設けられている。この窓部２９は、本実施形態では、上記凹部２８の底面部３０に形成されている。窓部２９は、スリット状に形成されており、本実施形態では、８本設けられている。もっとも、窓部２９の数には何ら制限が加えられることはない。
窓部２９は、本体１１が釣り場において水中に配置された状態で、収容空間１５内に水流を生じさせるものである。これにより、収容空間１５に収容されたおとり鮎の体力が消耗することが防止される。
窓部２９は、図３が示すように、クランク状に形成されている。これにより、窓部２９を通過する水の速度が低下し、おとり鮎の体力の消耗がさらに効果的に防止される。
【００１８】
本実施形態に係るオトリ缶１０では、おとり鮎は、水と共に本体１１の収容空間１５に収容される。そして、中蓋部材２１が閉じられ、且つ外蓋部材１２が本体１１に取り付けられた状態で、オトリ缶１０と共におとり鮎が搬送される。このとき、中蓋部材２１と外蓋部材１２との間に保冷剤等が保持されるから、収容空間１５は、本体１１の外側から冷却される。
したがって、特に気温が上昇する夏において、釣人が釣餌店等でおとり鮎を購入し、これを釣り場まで搬送する際に、当該搬送時間が長時間となった場合であっても、収容空間１５内の水温の上昇が抑制されるので、おとり鮎は、その体力が低下することなく搬送される。
【００１９】
特に本実施形態では、保冷剤は、中蓋部材２１に設けられた凹部２８によって構成されるから、保冷剤が保持されるための特別の部材は不要であるという利点がある。
しかも、この凹部２８は、底面部３０に水流形成用の窓部２９が設けられているから、保冷剤による冷却効果が窓部２９を通して効果的に上記収容空間１５に及ぶ。したがって、収容空間１５内の水温の上昇が効果的に抑制され、これにより、おとり鮎は、その体力を維持したまま保存、搬送される。
【００２０】
なお、本実施形態では、保冷剤を収容するための空間は、上記凹部２８により構成されているが、保冷剤を収容するための保冷剤保持部が別途設けられてもよいことは言うまでもない。その場合、保冷剤保持部は、上記収容空間１５が効果的に冷却されるために、外蓋部材１２と中蓋部材２１との間に配置されるのが好ましい。
【００２１】
【発明の効果】
以上のように本発明によれば、収容空間におとり鮎が収容された状態で保冷剤によって収容空間が冷却され得るので、特に気温が上昇する夏においてもおとり鮎の体力を維持したまま当該おとり鮎を保存することができる。
【図面の簡単な説明】
【図１】図１は、本発明の一実施形態に係るオトリ缶の斜視図である。
【図２】図２は、本発明の一実施形態に係るオトリ缶の要部斜視図である。
【図３】図３は、図２におけるＩＩＩ−ＩＩＩ断面図である。
【符号の説明】
１０・・・オトリ缶
１１・・・本体
１２・・・外蓋部材
１５・・・収容空間
１６・・・上面
１７・・・開口
１８・・・側面
２１・・・中蓋部材
２２・・・蝶番
２３・・・開閉扉
２４・・・蝶番
２６・・・開口部
２７・・・扉
２８・・・凹部
２９・・・窓部
３０・・・底面部
【図１】
2005040028.tif 000003
【図２】
2005040028.tif 000004
【図３】
2005040028.tif 000005